(57)【要約】【課題】本発明は、樹脂製の連結部材を用いたとしても確実にアースの連続性が得られるとともに、作業性を低下させることがない連結部材及び照明装置を提供する。【解決手段】本実施形態によれば、本実施形態によれば、樹脂製の連部部材主部２５に設けられた湾曲形状、かつ、弾性変形可能な接触片５を連結部材２が具備することにより、連結部材主部２５及び嵌合凸部２１が樹脂製であっても、嵌合凸部と器具本体１１の取付孔３４の嵌入にともなって接触片５の端部５２が確実に器具本体１１の天面に接触するので、連設された器具本体１１，１１間でのアースの連続性を確保することができる。【選択図】図１
2005228579.tif 000002
【特許請求の範囲】
【請求項１】
被取付面に隣り合うように直線状に配列された複数の器具本体の各端部天面部に当接ないし対向するように設けられる樹脂製の連部部材主部と；  連結部材主部の両端側であって下方に向けて突出して形成されており、器具本体端部に形成された取付孔に挿入して嵌合する樹脂製の嵌合凸部と；
連結部材主部から下方向に向かって湾曲し、弾性変形可能な金属製で形成された本体部を有し、この本体部の両端は、嵌合凸部が器具本体端部の取付孔に設けられる際に各々の器具本体の端部天面部を摺動するように形成されている接触片と；
を具備することを特徴とする連結部材。
【請求項２】
請求項１記載の連結部材と；
連結部材が設けられることにより被取付面に隣り合うように直線状に配列される複数の器具本体と；
を具備することを特徴とする照明装置。
【発明の詳細な説明】
【技術分野】
【０００１】
本発明は、複数の照明器具を連結する樹脂製の連結部材及び照明装置に関する。
【背景技術】
【０００２】
一般に、広範囲の照明を行なう場合は、複数のたとえば４０Ｗの蛍光ランプを直線状に直列配置することがある。そして、このような場合には、蛍光ランプを保持する器具本体を直線状に連結する必要があるので、この連結には連結される各器具本体の端部相互を直線状に固定する樹脂製の連結部材が用いられている（例えば、特許文献１参照。）。
【０００３】
このような連結部材は、複数の器具本体の各端部天面部に当接する連部部材主部の両端側であって、下方に向けて突出して形成された嵌合凸部を器具本体に形成した取付孔に嵌め込むだけで照明器具の直進性が得られるというものである。
【特許文献１】実開昭５５−６６３０６号公報
【発明の開示】
【発明が解決しようとする課題】
【０００４】
近年においては、連結する照明器具間のアースの連続性を確保する要求が高まっている。しかしながら、従来技術は、連結部材が樹脂製であるので、器具本体同士でのアースの連続性が取れないという課題があった。
【０００５】
また、アースの連続性を確保するために従来とは全く異なる構成の連結部材を用いることも考えられるが、新たな連結部材を用いることで従来の作業性よりも作業性が低下することは施工者にとっては好ましいものではなかった。
【０００６】
本発明は上記に鑑みたものであり、樹脂製の連結部材を用いたとしても確実にアースの連続性が得られるとともに、作業性を低下させることがない連結部材及び照明装置を提供することを目的とする。
【課題を解決するための手段】
【０００７】
請求項１に記載の連結部材によれば、被取付面に隣り合うように直線状に配列された複数の器具本体の各端部天面部に当接ないし対向するように設けられる樹脂製の連部部材主部と；連結部材主部の両端側であって下方に向けて突出して形成されており、器具本体端部に形成された取付孔に挿入して嵌合する樹脂製の嵌合凸部と；連結部材主部から下方向に向かって湾曲し、弾性変形可能な金属製で形成された本体部を有し、この本体部の両端は、嵌合凸部が器具本体端部の取付孔に設けられる際に各々の器具本体の端部天面部を摺動するように形成されている接触片と；を具備することを特徴とする。
【０００８】
請求項１の発明によれば、接触片の本体部の両端部が確実に器具本体の天面に接触するので、連設された器具本体間でのアースの連続性を確実に確保することができる。また、従来の連設部材の取付方法と略変わりなく使用することができるので、作業性を低下させることもない。さらにまた、接触片の両端部は器具本体の天面を摺動することにより、器具本体の表面を削りながら設けられるので、より確実にアースの連続性を確保することができる。
【０００９】
請求項２に記載の照明装置は、請求項１記載の連結部材と；連結部材が設けられることにより被取付面に隣り合うように直線状に配列される複数の器具本体と；を具備することを特徴とする。
【００１０】
請求項２の発明によれば、請求項１記載の作用効果を奉する。
【発明の効果】
【００１１】
本発明によれば、被取付面に隣り合うように直線状に配列された複数の器具本体の各端部天面部に当接ないし対向するように設けられる樹脂製の連部部材主部と；連結部材主部の両端側であって下方に向けて突出して形成されており、器具本体端部に形成された取付孔に挿入して嵌合する樹脂製の嵌合凸部と；連結部材主部から下方向に向かって湾曲し、弾性変形可能な金属製で形成された本体部を有し、この本体部の両端は、嵌合凸部が器具本体端部の取付孔に設けられる際に各々の器具本体の端部天面部を摺動するように形成されている接触片と；を具備することにより、接触片の本体部の両端部が確実に器具本体の天面に接触するので、連設された器具本体間でのアースの連続性を確実に確保することができる。また、従来の連設部材の取付方法と略変わりなく使用することができるので、作業性を低下させることもない。さらにまた、接触片の両端部は器具本体の天面を摺動することにより、器具本体の表面を削りながら設けられるので、より確実にアースの連続性を確保することができる。
【発明を実施するための最良の形態】
【００１２】
本発明の第一実施形態を図面を参照して説明する。図１は第一実施形態の連結部材を示した斜視図、図２は本実施形態の照明装置の要部を示す説明図、図３は本実施形態の連結部材を器具本体に取付ける状態を示す説明図、図４は本実施形態の照明器具を連結して照明装置となった状態を示す斜視図である。
【００１３】
照明装置１は、図４に示すように、天井などの被取付面に直線状に配列される例えば逆富士形をした照明器具１０、１０同士を連結するものである。
【００１４】
照明器具１は、金属からなる器具本体１１を有し、この器具本体１１の下方を覆って取付けられる逆富士形をした反射体１３が設けられている。さらに、この器具本体１１の両端に対向して取付けられ反射板１３から下方に向けて突出する一対のランプソケット１７，１７及びこれらランプソケット１７，１７間に着脱自在に取付けられる直管形蛍光ランプ１８とを具備するものである。
【００１５】
器具本体１１は、図２に示すように、ほぼ逆富士型で天上面などに取り付ける下面に向けて開口した断面コ字状で形成されている。また、器具本体１１の端部天面部１２には、後述する連結部材２の嵌合凸部２１と嵌合する取付孔３４がそれぞれ設けられている。そして、器具本体１１には図示しない蛍光ランプ１８を点灯させる安定器などの点灯装置が取り付けられ、この点灯装置は器具本体１１および反射体１３間に保持内蔵される。
反射体１３は、器具本体１１に嵌合して取り付けられる両端が開口された樋状の略Ｕ型溝状であって、この反射体１３の下面の外面に反射面１４が形成され、この反射面１４に蛍光ランプ１８が対向して装着される。
【００１６】
また、反射体１３の両端には、プラスティックなどの樹脂にて形成された端板１５が取り付けられ、反射体１３の長さ方向両端を閉塞する。この端板１５には、照明器具１０，１０を連設した際に電源を一方の器具から他方の器具へ送るための送りコード挿通部（図示しない）をノックアウトすることで形成可能となっている。
【００１７】
ここで、連結部材２について図１，３を参照して説明する。なお、図３の（ａ）〜（ｄ）は連結部材２を照明器具１０へ取付ける順に示している説明図である。
【００１８】
連結部材２は、図１に示すように、略平板状であって、合成樹脂からなる連結部材主部２５を有し、同じく合成樹脂製であって、前記連結部材主部２５の両端側に２本ずつの嵌合凸部２１が突設されている。そして、連結部材主部２５の略中央部には、連結部材主部２５から一体となって突設する接触片係合部２４が設けられている。さらに、連結部材主部２５の長手方向中央部の両側面には、連結部材主部２５から一体でクランプ片２３，２３が設けられている。
【００１９】
また連結部材２は、金属製であって、連結部材主部２５から下方向（本実施形態においては、嵌合凸部２１の突出方向）に向かって湾曲している接触片５が設けられている。この接触片５は、弾性変形可能である。
【００２０】
また、接触片５の本体部５１の略中央には、上記した接触片係合部２４と係合可能な係合孔５３が設けられている。ゆえに、接触片５は、接触片係合部２４の頭部が変形しながら係合孔５３を挿通するように設けられることで、この接触片係合部２４の頭部と係合孔５３周縁とが係合し、固着されることになる。
【００２１】
次に連結部材２を器具本体１１へ取付ける方法について説明する。まず図３の（ａ）に示したように、連結部材主部２５の嵌合凸部２１が設けられている側を器具本体１１の端部天面部１２に対向するように設け、さらに、２つの嵌合凸部２１，２１が器具本体１１の取付孔３４，３４に対向するように設ける。そして、図３の（ｂ）に示したように、嵌合凸部２１，２１を取付孔３４，３４に嵌合挿入すると、接触片５の本体部５１の端部５２が器具本体１１の端部天面部１２を摺動しながら器具本体１１の長手方向中央部側へ移動する。さらに、図３の（ｃ）に示したように、嵌合凸部２１が取付孔３４へ略嵌入されと連結部材２は器具本体１１の端部天面部１２に固着することになる。なお、この際には、接触片５は端部天面部１２と接触状態となっている。そして、図３の（ｄ）に示したように、他方の器具本体１１にも上記と同様の作業を行い、クランプ片２３が各器具本体１１、１１間に位置する状態で連結部材２を取付け、連結作業が終了する。
【００２２】
なお、連結作業終了後には、端板１５に設けられた送りコード挿通部を介して点灯装置などに接続される電源送りコードを挿通することで、電気的接続作業が行われる。
【００２３】
本実施形態によれば、樹脂製の連部部材主部２５に設けられた湾曲形状、かつ、弾性変形可能な接触片５を連結部材２が具備することにより、連結部材主部２５及び嵌合凸部２１が樹脂製であっても、嵌合凸部と器具本体１１の取付孔３４の嵌入にともなって接触片５の端部５２が確実に器具本体１１の天面に接触するので、連設された器具本体１１，１１間でのアースの連続性を確保することができる。
【００２４】
また、従来から知られている樹脂製の連設部材の取付方法と略変わりなく本実施形態の連結部材２を用いることができるので、連結部材の変更に伴う作業性の低下という事態はを生じさせることがない。
【００２５】
さらにまた、接触片５の両端部５２は、接触片５が器具本体１１の端部天面部１２を摺動することにより、器具本体１１の表面を削りながら設けられるので、仮に器具本体１１に何らかの塗膜が形成されているようなことがあっても、器具本体１１の金属面と接触片５とが接触可能となり、より確実にアースの連続性を確保することができる。
【図面の簡単な説明】
【００２６】
【図１】第一実施形態の連結部材を示した斜視図
【図２】同上本実施形態の照明装置の要部を示す説明図
【図３】同上本実施形態の連結部材を器具本体に取付ける状態を示す説明図
【図４】同上本実施形態の照明器具を連結して照明装置となった状態を示す斜視図
【符号の説明】
【００２７】
２５…連結部材主部、嵌合凸部…２１、５…接触片、２…連結部材、１１…器具本体
【図１】
2005228579.tif 000003
【図２】
2005228579.tif 000004
【図３】
2005228579.tif 000005
【図４】
2005228579.tif 000006